(57)【要約】【課題】  歯科用鑢の使用後における健全性評価を実施するための検査装置であって、より鑢の安全性を求め、作業効率も良好な目視観察評価用の歯科用鑢の検査装置と、その装置の利用方法を提供する【解決手段】  歯根クリーニング用歯科鑢の摩耗、損傷、変形の具合等の劣化状態を目視観察、判定するために、目視観察側から、アイピース筐体、拡大部筐体、試料室筐体、中間筐体、下部筐体の順に着脱自在に前記各筐体が直列に結合した構造体からなり、歯科用鑢を照明下での拡大目視観察による劣化評価を容易に且つ信頼性高く行う歯科用鑢の検査装置及び劣化状態の検査、判定、廃棄方法。【選択図】  図１
2018179609.tif 000002
【特許請求の範囲】
【請求項１】
歯根クリーニング用歯科鑢の劣化状態を目視観察、判定するための歯科用鑢の検査装置であって、
目視観察側から、アイピース筐体、拡大部筐体、試料室筐体、中間筐体、下部筐体の順に着脱自在に前記各筐体が直列に結合した構造体で、
前記下部筐体が、底付き筒型形状で、
前記筒型形状が構成する内側空間に着脱自在に前記内側空間の底部に載置される箱体を備え、前記中間筐体との結合を担う中間側下部筐体結合部を具備し、
前記中間筐体が、屈曲部を有する貫通した筒型形状で、
載置状態の前記箱体の上方の中間筐体側面に鑢回収用開口部を備え、
前記筒型形状の下部筐体側端部に、前記下部筐体と着脱自在に結合する下部側中間筐体結合部を具備し、前記筒型形状の試料室側端部に、前記試料室筐体の下部と着脱自在に結合する試料室側中間筐体結合部を具備し、
前記試料室筐体が、貫通した筒型形状で、
前記筒型形状の内部空間に内周状の照明装置と、前記筒型形状の外周部に前記照明装置のＯＮ・ＯＦＦ用スイッチと電源、及び前記筒型形状の側面部に観察試料を挿入する試料用開口部と、前記中間筐体との結合を担う中間側試料室結合部と、前記拡大部筐体との結合を担う拡大側試料室結合部を具備し、
前記拡大部筐体が、貫通した筒型形状で、前記筒型形状が有する内部空間を塞ぐ形で、且つ前記筒型形状の中心軸と垂直方向に配置された拡大媒体と、前記試料室筐体との結合を担う試料側拡大部結合部と、前記アイピース筐体との結合を担うアイピース側拡大部結合部を具備し、
前記アイピース筐体が、貫通した筒型形状で、一端に目視するための接眼部を有し、他の一端側に前記拡大部筐体との結合を担うアイピース筐体結合部を具備することを特徴とする歯科用鑢の検査装置。
【請求項２】
歯根クリーニング用歯科鑢の劣化状態を目視観察、判定するための歯科用鑢の検査装置であって、
目視観察側から、アイピース筐体、試料室筐体、拡大部筐体、中間筐体、下部筐体の順に着脱自在に前記各筐体が直列に結合した構造体で、
前記下部筐体が、底付き筒型形状で、
前記筒型形状が構成する内側空間に着脱自在に前記内側空間の底部に載置される箱体を備え、前記中間筐体との結合を担う中間側下部筐体結合部を具備し、
前記中間筐体が、屈曲部を有する貫通した筒型形状で、
載置状態の前記箱体の上方の中間筐体側面に鑢回収用開口部を備え、
前記筒型形状の下部筐体側端部に、前記下部筐体と着脱自在に結合する下部側中間筐体結合部を具備し、前記筒型形状の試料室側端部に、前記試料室筐体の下部と着脱自在に結合する試料室側中間筐体結合部を具備し、
前記拡大部筐体が、貫通した筒型形状で、前記筒型形状が有する内部空間を塞ぐ形で、且つ前記筒型形状の中心軸と垂直方向に配置された拡大媒体と、前記試料室筐体との結合を担う試料側拡大部結合部と、前記アイピース筐体との結合を担うアイピース側拡大部結合部を具備し
前記試料室筐体が、貫通した筒型形状で、
前記筒型形状の内部空間に内周状の照明装置と、前記筒型形状の外周部に前記照明装置のＯＮ・ＯＦＦ用スイッチと電源、及び前記筒型形状の側面部に観察試料を挿入する試料用開口部と、前記中間筐体との結合を担う中間側試料室結合部と、前記拡大部筐体との結合を担う拡大側試料室結合部を具備し、
前記アイピース筐体が、貫通した筒型形状で、一端に目視するための接眼部を有し、他の一端側に前記試料室筐体との結合を担うアイピース筐体結合部を具備することを特徴とする歯科用鑢の検査装置。
【請求項３】
前記拡大媒体が、拡大レンズを用いたレンズ式媒体であることを特徴とする請求項１に記載の歯科用鑢の検査装置。
【請求項４】
前記レンズ式媒体が、１枚の凸レンズ構成、直列に配列した複数枚の凸レンズ群構成、のいずれか一種から構成されていることを特徴とする請求項３に記載の歯科用鑢の検査装置。
【請求項５】
前記拡大媒体が、拡大鏡を用いた反射式媒体であることを特徴とする請求項２に記載の歯科用鑢の検査装置。
【請求項６】
対向する筐体における結合が、凸凹形式の結合部によるはめ込み型結合であることを特徴とする請求項１〜５のいずれか１項に記載の歯科用鑢の検査装置。
【請求項７】
歯科用鑢の劣化状態の検査、判定、及び廃棄方法であって、
前記請求項１〜６のいずれかに記載の歯科用鑢の検査装置を用い、
前記歯科用鑢の検査装置における試料室筐体に具備される試料用開口部に、使用後歯科用鑢を挿入した後、目視観察により前記使用後歯科用鑢の先端部の表面状態を観察し、前記表面状態の程度が使用不可の領域であると判定した場合には、
前記使用後歯科用鑢を、前記試料開口部から取り出し、前記歯科用鑢の検査装置を構成する下部筐体に設けられた前記鑢回収用開口部に前記使用後歯科用鑢を挿入し、前記使用後歯科用鑢の前記下部筐体の外部に飛び出た部分を切断して、前記使用後歯科用鑢の先端部を前記下部筐体の内部空間に載置された箱体に収納して回収することを特徴とする歯科用鑢の劣化状態の検査、判定、及び廃棄方法。
【発明の詳細な説明】
【技術分野】
【０００１】
歯科用鑢の使用状態を目視観察により評価し、以降の使用可否の判断及び使用不可鑢の廃棄を行う歯科用鑢の検査装置に関するものである。
【背景技術】
【０００２】
歯科における根管処置は、歯科用鑢などの根管治療治具を用いて行われるが、使用部位によっては狭窄、屈曲などを強いられる結果、治療治具の歯科用鑢には繰り返し過大なトルクや、過大な繰り返し曲げ力が加わることで、徐々に疲労が蓄積されて変形していき、破損に及ぶ。或いは負荷の大きさに耐えかねて塑性変形を伴う破損を呈する例は少なくなく、その破損、破断現象が歯根治療中に起こると、その破損部位は根管内に残留してしまう。そこで、その根管内からの除去処理が行われるが、それは困難がつきまとい治療歯の予後にも悪い影響を残す場合がある。
【０００３】
このような状況の中で従来は、目視観察で歯科用鑢の形態変化を判定し、使用限界に近づいていると判断した際には、廃棄処理をすることにより歯科用鑢の歯根管内部での破断事故の発生を予防していたが、定量性のある評価を目指して定量的検査方法が開発されている（例えば、特許文献１、２参照）。
【０００４】
特許文献１、２共に，定量性を保った判断が可能となるように、歯科用治療治具の使用前後における電気抵抗の変化による判定、或いは電位差の相違による判定などの電気的特性の変化の蓄積を基にした手法が開発、提供されている。
しかしながら、この電気的特性は被測定材の表面性状や内部組織などの内因的な要因や、被測定材と測定具との接触具合などの外因的な要因によって、わずかな変化に敏感に反応し、その測定値に大きな偏差をもたらし、治療具の使用可否判定基準に大きな揺らぎを与え兼ねない問題点を有している。
【０００５】
さら電気的特性の測定には、測定値が安定することが必要で、そのためには被測定材を測定部位に装着した後に、安定化時間を設けることになるので、必然に一被測定材に掛かる測定時間は長くなり、効率面での問題が生じ兼ねなくなっている。また、測定する度に測定位置の正確な再現が困難であり、しかも前回測定値との比較が困難となるので、当該鑢の累積損傷度合の正確な把握は難しい。
【先行技術文献】
【特許文献】
【０００６】
【特許文献１】特開平５−１５４１６５号公報
【特許文献２】特開平１１−１９４１０６号公報
【発明の概要】
【発明が解決しようとする課題】
【０００７】
このような状況の中、歯科用鑢の使用に際し、定量性の担保より、より安全性と作業の効率を求めた検査装置の要求が成されていた。そこで、本発明の発明者らは従来の目視観察法に着目し、従来の目視観察では、鑢を手で保持し、拡大鏡で観察する手持ち観察のために、手ぶれによる鑢表面の形状が不鮮明になる点や視野の暗さによる鑢表面の形状の見極めの困難な点などによって、判定がし難くなる問題に対して、その観察が容易で、且つ、その評価も正確さを以て容易に実施可能で、さらには不適であると判定した鑢の廃棄が，その場で可能な目視観察に使用する検査装置の開発を進め、その完成に至った。
本発明は、歯科用鑢の使用後における健全性評価を実施するための検査装置であって、より鑢の安全性を求め、作業効率も良好な目視観察評価用の歯科用鑢の検査装置と、その装置の利用方法を提供するものである。
【課題を解決するための手段】
【０００８】
本発明の第１の発明は、歯根クリーニング用歯科鑢の劣化状態を目視観察、判定するための歯科用鑢の検査装置であって、目視観察側から、アイピース筐体、拡大部筐体、試料室筐体、中間筐体、下部筐体の順に着脱自在に前記各筐体が直列に結合した構造体で、前記下部筐体が、底付き筒型形状で、前記筒型形状が構成する内側空間に着脱自在に前記内側空間の底部に載置される箱体を備え、前記中間筐体との結合を担う中間側下部筐体結合部を具備し、前記中間筐体が、屈曲部を有する貫通した筒型形状で、載置状態の前記箱体の上方の中間筐体側面に鑢回収用開口部を備え、前記筒型形状の下部筐体側端部に、前記下部筐体と着脱自在に結合する下部側中間筐体結合部を具備し、前記筒型形状の試料室側端部に、前記試料室筐体の下部と着脱自在に結合する試料室側中間筐体結合部を具備し、前記試料室筐体が、貫通した筒型形状で、前記筒型形状の内部空間に内周状の照明装置と、前記筒型形状の外周部に前記照明装置のＯＮ・ＯＦＦ用スイッチと電源、及び前記筒型形状の側面部に観察試料を挿入する試料用開口部と、前記中間筐体との結合を担う中間側試料室結合部と、前記拡大部筐体との結合を担う拡大側試料室結合部を具備し、前記拡大部筐体が、貫通した筒型形状で、前記筒型形状が有する内部空間を塞ぐ形で、且つ前記筒型形状の中心軸と垂直方向に配置された拡大媒体と、前記試料室筐体との結合を担う試料側拡大部結合部と、前記アイピース筐体との結合を担うアイピース側拡大部結合部を具備し、前記アイピース筐体が、貫通した筒型形状で、一端に目視するための接眼部を有し、他の一端側に前記拡大部筐体との結合を担うアイピース筐体結合部を具備することを特徴とする歯科用鑢の検査装置である。
【０００９】
本発明の第２の発明は、歯根クリーニング用歯科鑢の劣化状態を目視観察、判定するための歯科用鑢の検査装置であって、目視観察側から、アイピース筐体、試料室筐体、拡大部筐体、中間筐体、下部筐体の順に着脱自在に前記各筐体が直列に結合した構造体で、前記下部筐体が、底付き筒型形状で、前記筒型形状が構成する内側空間に着脱自在に前記内側空間底部に載置される箱体を備え、前記中間筐体との結合を担う中間側下部筐体結合部を具備し、前記中間筐体が、屈曲部を有する貫通した筒型形状で、前記載置状態の箱体上方の中間筐体側面に鑢回収用開口部を備え、前記筒型形状の下部筐体側端部に、前記下部筐体と着脱自在に結合する下部側中間筐体結合部を具備し、前記筒型形状の試料室側端部に、前記試料室筐体の下部と着脱自在に結合する試料室側中間筐体結合部を具備し、前記拡大部筐体が、貫通した筒型形状で、前記筒型形状が有する内部空間を塞ぐ形で、且つ前記筒型形状の中心軸と垂直方向に配置された拡大媒体と、前記試料室筐体との結合を担う試料側拡大部結合部と、前記アイピース筐体との結合を担うアイピース側拡大部結合部を具備し前記試料室筐体が、貫通した筒型形状で、前記筒型形状の内部空間に内周状の照明装置と、前記筒型形状の外周部に前記照明装置のＯＮ・ＯＦＦ用スイッチと電源、及び前記筒型形状の側面部に観察試料を挿入する試料用開口部と、前記中間筐体との結合を担う中間側試料室結合部と、前記拡大部筐体との結合を担う拡大側試料室結合部を具備し、前記アイピース筐体が、貫通した筒型形状で、一端に目視するための接眼部を有し、他の一端側に前記試料室筐体との結合を担うアイピース筐体結合部を具備することを特徴とする歯科用鑢の検査装置である。
【００１０】
本発明の第３の発明は、第１の発明における拡大媒体が、拡大レンズを用いたレンズ式媒体であることを特徴とし、さらに第４の発明は、その第３の発明におけるレンズ式媒体が、１枚の凸レンズ構成、直列に配列した複数枚の凸レンズ群構成のいずれか一種から構成されていることを特徴とする歯科用鑢の検査装置である。
【００１１】
本発明の第５の発明は、第２の発明における拡大媒体が、拡大鏡を用いた反射式媒体であることを特徴とする歯科用鑢の検査装置である。
【００１２】
本発明の第６の発明は、第１から第５の発明の対向する筐体における結合が、凸凹形式の結合部によるはめ込み型結合であることを特徴とする歯科用鑢の検査装置である。
【００１３】
本発明の第７の発明は、歯科用鑢の劣化状態の検査、判定、及び廃棄方法であって、第１から第６の発明のいずれかに記載の歯科用鑢の検査装置を用い、前記歯科用鑢の検査装置における試料筐体に具備される試料開口部に、使用後歯科用鑢を挿入した後、目視観察により前記使用後歯科用鑢先端部の表面状態を観察し、前記表面状態の程度が使用不可の領域であると判定した場合には、前記使用後歯科用鑢を、前記試料開口部から取り出し、前記歯科用鑢の検査装置を構成する下部筐体に設けられた前記鑢回収用開口部に前記使用後歯科用鑢を挿入し、前記使用後歯科用鑢の前記下部筐体の外部に飛び出た部分を切断して、前記使用後歯科用鑢の先端部を前記下部筐体の内部空間に載置された箱体に収納して回収することを特徴とする歯科用鑢の劣化状態の検査、判定、及び廃棄方法である。
【発明の効果】
【００１４】
本発明によれば、根管除去治療などの歯科治療に使用する歯科用鑢の表面状態を判定する目視観察が容易で、且つ、その評価も容易に実施可能である。
さらには、継続して使用が不適であると判定した鑢の廃棄が，その場で可能であって、鑢の取り扱い上、廃棄鑢の散逸を予防でき、より鑢の安全性を高め、検査作業の効率も向上させる効果を奏するものである。
【図面の簡単な説明】
【００１５】
【図１】本発明に係る歯科用鑢の検査装置Ａの全体像を示す外観図である。
【図２】本発明に係る他の実施例である検査装置Ｂの全体像を示す外観図である。
【図３】本発明で用いられている各筐体を結合する結合機構Ａの説明図である。
【図４】本発明で用いられている各筐体を結合する結合機構Ｂの説明図である。
【図５】本発明で用いられている各筐体を結合する結合機構Ｃの説明図である。
【図６】本発明で用いられている各筐体を結合する結合機構Ｄの説明図で、（ａ）は結合機構Ｄの模式断面図、（ｂ）は結合機構の一端を示す図、（ｃ）は結合機構の他端を示す図である。
【図７】本発明に係る検査装置を構成するアイピース筐体１０の説明図で、（ａ）は正面図、（ｂ）は平面図、（ｃ）は底面図である。
【図８】本発明に係る検査装置を構成する拡大部筐体２０Ａ、２０Ｂの説明図で、（ａ）〜（ｃ）は拡大部筐体２０Ａの平面図、正面図、底面図で、（ｄ）は拡大部筐体２０Ｂの説明図における正面図である。
【図９】本発明に係る検査装置を構成する試料室筐体３０の説明図で、（ａ）は正面図、（ｂ）は平面図、（Ｃ）は底面図である。
【図１０】本発明に係る検査装置を構成する中間筐体４０の説明図で、（ａ）は正面図、（ｂ）は底面図である。
【図１１】本発明に係る検査装置を構成する下部筐体５０の説明図で、（ａ）は正面図、（ｂ）は平面図、（Ｃ）は下部筐体５０の内部に収容される鑢回収用の箱体｛回収缶｝５３の説明図における正面図である。
【発明を実施するための形態】
【００１６】
本発明は、歯根クリーニング用歯科鑢の摩耗具合を目視観察、判定するための歯科用鑢の検査装置と、その装置の利用方法である。
この検査装置は、歯科鑢の表面状態から摩耗、損傷、変形の具合などの劣化状態を目視観察して評価するためのもので、５体の筐体が直列に結合することで検査装置を形成している。即ち、目視観察側から、アイピース筐体、拡大部筐体、試料室筐体、中間筐体、下部筐体の順、又はアイピース筐体、試料室筐体、拡大部筐体、中間筐体、下部筐体の順に着脱自在に各筐体が直列に結合した構造体であり、その使用に際しては，下部筐体の底部に台座などの検査装置を支える支持部を備えて自立状態で用いる、又は台座の代わりに支持穴が設けられた観察台上で、その支持穴に下部筐体の底部側を挿入して自立させて用いる。
以下、この検査装置を構成する５体の筐体について説明し、その後にその利用方法を説明する。
【００１７】
図１、本発明に係る歯科用鑢の検査装置Ａの全体像を示す外観図で、目視観察側（白抜き矢印が示す方向）から、アイピース筐体、拡大部筐体Ａ、試料室筐体の順で構成され、図２は、本発明に係る検査装置Ｂの全体像を示す外観図で、目視観察側から、アイピース筐体、試料室筐体、拡大部筐体Ｂの順で構成されている。
図１、図２において、Ａ、Ｂは検査装置、ＳＷは電源スイッチ、ＳＷＨは手元電源スイッチ、１０はアイピース筐体、１２は接眼絞り、２０Ａは拡大部筐体Ａ、２０Ｂは拡大部筐体Ｂ、３０Ａは試料室筐体Ａ、３０Ｂは試料室筐体Ｂ、３１はバッテリーパック、３２Ａは照明用ＡＣ電源ケーブル、３２Ｂは照明用ＤＣ電源ケーブル、３３は試料用開口部、３５は照明装置用電源ソケット、３６は電源用プラグ、４０は中間筐体、４１は鑢回収用開口部、５０は下部筐体、５１は回収扉、５３は廃棄試料回収用の箱体（又は回収缶）、６０は検査装置支持用台座、６１は支持穴である。
【００１８】
［検査装置Ａ、Ｂ］
図１、図２に示す検査装置Ａ、検査装置Ｂは共に５体の筐体が着脱自在な形態で結合した構造体で構成さ、これらの相違点はアイピース筐体１０の次に結合されている筐体が、検査装置Ａでは拡大部筐体２０Ａ、試料室筐体３０Ａ又は試料室筐体３０Ｂの順であり、検査装置Ｂでは試料室筐体３０Ａ又は試料室筐体３０Ｂ、拡大部筐体２０Ｂの順に結合されている点である。
【００１９】
なお、図１、図２には下部筐体５０が備えられている。廃棄された鑢の回収方式の違いは、検査装置Ａでは、下部筐体５０を取り外し、下部筐体５０の内部に備えられた廃棄された歯科用鑢を収納した回収箱体（回収缶）５３を取り出し収納されている鑢を廃棄する方式であり、検査装置Ｂでは、下部筐体５０の側面に回収扉５１を設け、この扉から中の回収箱体（回収缶）５３を取り出し、収納された鑢を廃棄する方式である点にある。なお、検査装置Ａに検査装置Ｂの回収方式を採用して、逆に検査装置Ｂに検査装置Ａの回収方式を採用しても良い。
【００２０】
また、試料室筐体３０Ａ、３０Ｂは、試料室筐体に備えられる照明装置の電源の供給方式にも違いがある。試料室筐体３０Ａは外部電源方式であって、ＡＣ電源方式（照明用ＡＣ電源ケーブル３２Ａを使用）、ＤＣ電源方式（照明用ＤＣ電源ケーブル３２Ｂを使用）により電源供給可能である。又、試料室筐体３０Ｂは試料室筐体にバッテリーパック３１を装着したバッテリーパック方式である。なお、電源のＯＮ／ＯＦＦは、試料室筐体Ａでは，電源ケーブルの中間部に設けたスイッチＳＷで行い、試料室筐体３０Ｂでは手元電源スイッチＳＷＨで切り替えを行う。
【００２１】
使用鑢の観察評価を行う場合、検査装置Ａ又はＢを観察台上に載置して自立状態で使用することで視野のぶれを押さえた状態で鑢の表面観察、判定が可能である。さらに、支持穴６１を備える台座６０を用い、その支持穴６１に下部筐体５０の底部を挿入し、より振動の少ない自立した状態に設定して用いても良く、さらに観察台上に支持穴を設け、その支持穴に下部筐体５０の底部を挿入して用いても良い。このように本発明に係る検査装置は、揺れを押さえた観察視野を提供することを可能としている。なお、支持穴６１に検査装置を挿入し、さらに検査装置が動かないように台座６０とはボルト連結などの手段により固定しても良い。
【００２２】
次に、各筐体の結合機構について説明する。
図３は、結合機構Ａの説明図で、アイピース筐体１０と拡大部筐体Ａ（符号２０Ａ）の場合を例として説明する。
結合機構Ａ（符号１００）では、各筐体の一端側の筐体結合部の全てに筐体結合凸部８１が備えられ、他端側の拡大結合部の全てが筐体結合凹部８２となっている。図３では４本爪方式を示しているが、その数は３から６程度が、結合のし易さ、結合強さなどの点から望ましい。
【００２３】
また、図４は、結合機構Ｂの説明図で、結合機構Ｂ（符号１０１）は筐体結合凹部８２と筐体結合凸部８１が互い違いに備えられ、２つの筐体を結合する方式である。
さらに、図５は結合機構Ｃの説明図で、結合機構Ｃ（符号１０２）は一端が全て片凹部（例えば中間筐体４０における符号４２参照）となっている筐体と、その端と結合する端部が片凸部（例えば下部筐体５０における符号５２参照）を形成している筐体との結合機構を示すもので、本発明では中間筐体４０と下部筐体５０との結合に使用している。この結合機構Ｃでは、凹凸の結合部の寸法公差を考慮することで、回転可能な結合とすることも可能である。
【００２４】
なお、図６に示すように、結合部の片凹部４２の側面に切り欠け部４２ａを設け、その切り欠け部４２ａに対応する位置の片凸部５２の側面位置に凸部５２ａを儲け、その両者が嵌合して結合状態を形成する結合機構Ｄ（符号１０３）としても良い。この結合機構Ｄは結合機構Ｃにおいて、端部の全周が片凹部や片凸部であるのに対して、部分的に片凹部、或いは片凸部である場合に相当する。図６において、（ａ）は結合機構Ｄの模式断面図による説明図で、（ｂ）は結合機構Ｄの一端を示す図で、（ｃ）は結合機構Ｄの他端を示す図である。
図５、図６における黒矢印は結合の方向を示している。
以下、各筐体について説明する。
【００２５】
［アイピース筐体］
図７はアイピース筐体の説明図で、（ａ）は正面図、（ｂ）は平面図、（ｃ）は底面図で、一端が目視するための接眼部を構成し、他端部には他の筐体結合する結合機構を担う筐体結合凸部８１、筐体結合凹部８２を備えている。
このアイピース筐体１０は、目視観察する際に、外部からの光の侵入を遮蔽する役割を果たすもので、観察する鑢の表面を見やすくする効果を有する。特に試料室筐体の照明と相まって、試料の鑢表面のしわ、うねり、割れ、ひびなどの表面欠陥を検出しやすくする。
【００２６】
アイピース筐体１０の大きさ、特に長さは、拡大部筐体に備えられる拡大媒体の焦点距離などのスペックに合わせて設定する。
又、接眼部の大きさ（又は内径）は、大きくすると外光が侵入し易くなるので、接眼絞り（図２及び図４の符号１２参照）を設け、その大きさの最小は瞳の大きさに合わせ、大きさの最大は片眼で観察した際に、外光が侵入しない大きさに適宜設定しても良く、さらにプリズムやハーフミラー、或いはＣＣＤを用いた両眼での観察が可能な双眼アイピースを取付けても良い。
【００２７】
［拡大部筐体］
図８は拡大部筐体の説明図で、（ａ）は拡大部筐体Ａ、Ｂ（２０Ａ、２０Ｂ）の平面図、（ｂ）は拡大部筐体Ａ（符号２０Ａ）の正面図、（ｃ）は拡大部筐体Ａ、Ｂの底面図で、（ｄ）は他の拡大部筐体Ｂ（符号２０Ｂ）の正面図の例である。
図８において、２０Ａは拡大部筐体Ａ、２０Ｂは拡大部筐体Ｂ、８１は筐体結合凸部、８２は筐体結合凹部、２３Ａは拡大媒体Ａ、２３Ｂは拡大媒体Ｂ、２４は底面部材である。
【００２８】
これらの拡大部筐体Ａ（符号２０Ａ）、拡大部筐体Ｂ（符号２０Ｂ）は、試料室筐体（図１及び図２の符号３０Ａ、３０Ｂ参照）から照明を受けながら試料の鑢表面を拡大し、その表面状態、即ち鑢の摩耗具合を判定する手助けをするものである。
拡大部筐体Ａ（符号２０Ａ）は、拡大レンズを用いたレンズ式媒体の拡大媒体を備える透過型の拡大部筐体であり、拡大部筐体Ａでは１枚の凸レンズ構成又は直列に配列した複数枚の凸レンズ群構成のいずれかからなる拡大媒体Ａ（符号２３Ａ）を筐体内部に固定状態で備えている。
さらに、他の拡大媒体として、凸レンズと凹レンズの複数個を直列に組み合わせて配列したレンズ群構成の拡大媒体も倍率や像の先鋭さ、像の鮮明さ等の要求によっては用いても良く、拡大媒体Ａと同様な用い方で検査装置Ａに使用される。なお、この拡大部筐体Ａ（符号２０Ａ）は、検査装置Ａ型で用いられるもので、試料の鑢は、拡大媒体を介して観察される。
【００２９】
一方、拡大部筐体Ｂ（符号２０Ｂ）は、反射型の拡大部筐体であり、凹面反射鏡の拡大媒体Ｂ（符号２３Ｂ）を筐体内部に固定状態で備えられている。なお拡大媒体Ｂの底面側には光が透過しない底面部材２４による遮蔽が成されている。
この拡大部筐体Ｂ（符号２０Ｂ）は、検査装置Ｂ型に用いられるもので、試料の鑢はこの拡大媒体Ｂ（符号２３Ｂ）の上方位置にあることで拡大観察ができる。
【００３０】
使用する拡大媒体Ａ（符号２３Ａ）、Ｂ（符号２３Ｂ）の倍率は５〜２０倍程度が目視で表面状態を観察して鑢の状態を評価するのに適している。低い倍率では検出が難しくなり、高すぎる倍率では、測定可能な視野の大きさが狭くなり、作業時間が掛ることになって作業効率が低下すると共に、観察者の疲労によって評価にばらつきが生じてしまうこともあるため好ましくない。
【００３１】
［試料室筐体］
図９に示す試料室筐体は、試料の鑢を筐体内部に導入する試料用開口部３３と、照明装置３４を備え、この照明装置への電源供給の方法の違いにより、図９に示す試料室筐体Ａ（符号３０Ａ）と試料室筐体Ｂ（図１、２の符号３０Ｂ参照）があり、試料室筐体Ａ（符号３０Ａ）は外部電源を使用する形式のもので、照明装置用電源ソケット３５を備えている。また、試料室筐体Ｂ（符号３０Ｂ）は、この筐体部に照明装置用のバッテリーパック３１が装着された電源一体型形式の筐体である(例えば図１参照)。
【００３２】
隣接する筐体との結合は、先に説明した図３或いは図４に記載の結合機構Ａ（符号１００）、結合機構Ｂ（符号１０１）のいずれかを使用して結合されている。そのための筐体結合凸部８１、筐体結合凹部８２を備えている。
【００３３】
［中間筐体］
図１０は、中間筐体４０の説明図で、（ａ）は正面図、（ｂ）は底面図で、中間筐体４０は中間部で屈曲した形状を備え、この屈曲形状によって、目視観察がし易いようになっている。又、中間筐体４０の屈曲形状の下方には、観察して廃棄処分と判定された歯科用鑢の先端部を挿入し、切断して回収するために使用される鑢回収用開口部４１を備えている。ここで、切断された鑢先端部は、下方の下部筐体５０内部にある箱体（回収缶）５３内に切断後落下して収納され、外部に持ち出されて廃棄される。（図１１参照）
【００３４】
さらに、下部筐体５０との結合を図る片凹部４２が、底面全周に渡って設けられ、下部筐体５０の片凸部５２と結合機構Ｃ，或いは結合機構Ｄ（なお、嵌合状態を形成する側面の凹凸部が必要）が形成されている。
【００３５】
［下部筐体］
先の中間筐体４０の下側には、図１１に示される下部筐体５０が、上記結合機構Ｃ又は結合機構Ｄにより着脱可能なように設けられている。図１１において、５２は結合機構Ｃ又はＤを構成する片凸部である。
この下部筐体５０の役割は大きく分けて２点あり、その一つは検査装置Ａ、Ｂを観察可能なように自立状態とし、その姿勢を保ち、観察視野のぶれを押さえること、もう一つは、使用不可と判定され、先端を切断された鑢を、先端部共々廃棄するために回収する機能である。
【００３６】
前者の機能を満たすために、下部筐体５０は、検査装置Ａ、Ｂを自立状態に保つような底面形態を採用している。さらに自立状態を維持するには動かないことが重要であり、そのために底面を碁盤目状としたり、ゴム張り底面としたりして摩擦係数を高めた形態とする。
【００３７】
後者の機能を果たす構造として、廃棄鑢回収機構を備えている。
例えば、図１に示す検査装置Ａでは、その下部筐体５０を検査装置Ａから取り外し、その内部に収容されている不用な鑢が納められている箱体（回収缶）５３を取り出し、中の鑢を所定の規定に従って廃棄する。又は、検査装置Ｂでは、図２に示すように下部筐体５０に設けた回収扉５１を通して、箱体｛回収缶｝５３を取り出し、中の不用な鑢を廃棄する。（図１１も参照。）
【００３８】
［検査装置の利用方法］
本発明に係る検査装置を用いた歯科用鑢の摩耗状態の検査、判定、廃棄方法は、以下の手順で行う。
【００３９】
＜検査＞
先ず、試料室筐体３０に具備される試料開口部３３に、評価を実施する使用後歯科用鑢を先端から挿入する。
試料室筐体の照明を「ＯＮ」にして観察する鑢の表面を照らす。
鑢の表面全体が観察できるように鑢を回転させながら、アイピース筐体の接眼部から目視観察を実施する。その際に用いる照明装置を波長の異なる光、即ち、色の違う光を照明可能な装置とすることで、表面欠陥を検出し易くしても良い。
【００４０】
＜判定＞
観察中の鑢表面を、従前の鑢表面を参考として評価を下して判定する。
評価に際しては、従前の鑢の比較サンプルを予め準備し、その表面状態と評価中の供試材の鑢の表面状態を比較して評価、判定を下す。
さらに、第２の方法として予め表面状態の比較基準チャートを作成し、そのチャートと観察表面を逐次比較して判定、評価を下す。この比較基準チャートには、表面状態写真像や表面状態画像と連携した評価基準が記載されている。
【００４１】
＜廃棄＞
検査、判定により寿命や不適と判断された鑢は、中間筐体４０の鑢回収用開口部４１に、その先端部を含めた所定の長さ分を挿入し、筐体外の部分で切断する。その切断により先端部を含む摩耗部は廃棄試料回収用の箱体（又は回収缶）５３内に収納される。さらに、手元に残った鑢の一部も、この開口部４１から廃棄試料回収用の箱体（又は回収缶）５３内に投入する。
一バッチの検査毎、或いは廃棄試料回収用の箱体（又は回収缶）５３が一杯に成った頃を見計らって、廃棄試料回収用の箱体（又は回収缶）５３を取り出して中の評価済みの鑢を所定の手段に従って廃棄する。
【符号の説明】
【００４２】
１０    アイピース筐体
１２    接眼絞り
２０Ａ  拡大部筐体Ａ
２０Ｂ  拡大部筐体Ｂ
２３Ａ  拡大媒体Ａ
２３Ｂ  拡大媒体Ｂ
２４    底面部材
３０Ａ  試料室筐体Ａ
３０Ｂ  試料室筐体Ｂ
３１    バッテリーパック
３２Ａ  照明用ＡＣ電源ケーブル
３２Ｂ  照明用ＤＣ電源ケーブル
３３    試料用開口部
３４    照明装置
３５    照明用電源ソケット
３６    電源用プラグ
４０    中間筐体
４１    鑢回収用開口部
４２    片凹部
４２ａ  切り欠き部
５０    下部筐体
５１    回収扉
５２    片凸部
５２ａ  凸部
５３    廃棄試料回収用の箱体（又は回収缶）
６０    検査装置支持用台座
６１    支持穴
８１    筐体結合凸部
８２    筐体結合凹部
１００  結合機構Ａ
１０１  結合機構Ｂ
１０２  結合機構Ｃ
１０３  結合機構Ｄ
Ａ    検査装置Ａ
Ｂ    検査装置Ｂ
ＳＷ    電源スイッチ
ＳＷＨ    手元電源スイッチ
【図１】
2018179609.tif 000003
【図２】
2018179609.tif 000004
【図３】
2018179609.tif 000005
【図４】
2018179609.tif 000006
【図５】
2018179609.tif 000007
【図６】
2018179609.tif 000008
【図７】
2018179609.tif 000009
【図８】
2018179609.tif 000010
【図９】
2018179609.tif 000011
【図１０】
2018179609.tif 000012
【図１１】
2018179609.tif 000013